(57)【要約】【課題】緊急車両の不足に対処することができる緊急搬送手配装置を提供する。【解決手段】緊急搬送手配装置１０は、予め患者を医療機関へ緊急搬送する臨時緊急車両として使用することが車両ユーザにより許可された複数の車両を登録する車両登録部１６と、登録された複数の車両の位置情報を取得する車両情報取得部１７と、患者からの搬送要求が受け付けられると、患者の位置情報と取得された車両情報とに基づき、車両登録部１６に登録された複数の車両のうち患者から所定範囲内に位置する車両を臨時緊急車両に認定する車両認定部１８と、その車両の車載端末に対し、患者の位置情報および医療機関の位置情報と医療機関への患者の搬送指令を出力する出力部１９とを備える。【選択図】図３
2018190142.tif 000002
【特許請求の範囲】
【請求項１】
医療機関への緊急搬送を要する患者からの搬送要求を受け付ける要求受付部と、
前記要求受付部により前記搬送要求が受け付けられた患者の位置情報を含む患者情報を取得する患者情報取得部と、
前記患者情報取得部により取得された患者情報に基づき、患者の緊急搬送先の医療機関を決定する医療機関決定部と、
予め患者を医療機関へ緊急搬送する臨時緊急車両として使用することが車両ユーザにより許可された複数の車両を登録する車両登録部と、
前記車両登録部に登録された複数の車両の位置情報を含む車両情報を取得する車両情報取得部と、
前記要求受付部により前記搬送要求が受け付けられると、前記患者情報取得部により取得された患者情報と前記車両情報取得部により取得された車両情報とに基づき、前記車両登録部に登録された複数の車両のうち前記患者から所定範囲内に位置する車両を臨時緊急車両に認定する車両認定部と、
前記車両認定部により臨時緊急車両に認定された車両に搭載された、または該車両のユーザにより携帯された車両側装置に対し、前記患者情報取得部により取得された患者情報および前記医療機関決定部により決定された医療機関の情報とともに、前記医療機関への患者の搬送指令を出力する出力部と、を備えることを特徴とする緊急搬送手配装置。
【請求項２】
請求項１に記載の緊急搬送手配装置において、
前記出力部は、前記車両認定部により認定された車両が前記患者から所定距離以上離れているとき、該車両から患者に至るまでの径路情報を併せて出力することを特徴とする緊急搬送手配装置。
【請求項３】
請求項１または２に記載の緊急搬送手配装置において、
前記車両認定部は、前記患者から前記所定範囲内に位置する車両が複数あるとき、これら複数の車両を前記臨時緊急車両に認定し、
前記出力部は、前記車両認定部により認定された複数の車両に搭載された、または該車両のユーザにより携帯された車両側装置に対し、前記患者情報と前記搬送指令とを出力することを特徴とする緊急搬送手配装置。
【請求項４】
請求項１〜３のいずれか１項に記載の緊急搬送手配装置において、
前記出力部は、さらに信号機の切換を行う交通制御装置を含む交通システムに対し、前記車両情報取得部により取得された車両情報と、該車両情報を有する車両から前記医療機関決定部により決定された医療機関に至るまでの径路情報とを出力することを特徴とする緊急搬送手配装置。
【請求項５】
予め患者を医療期間へ緊急搬送する臨時緊急車両として使用することが車両ユーザにより許可された複数の車両に搭載された、または該車両のユーザにより携帯された車両側装置と、患者により携帯された患者側装置と、前記車両側装置および前記患者側装置と通信可能に設けられた緊急搬送手配装置と、を備える緊急搬送手配システムであって、
前記車両側装置は、車両の位置を検出する車両位置検出部を有し、
前記患者側装置は、医療機関への患者の搬送要求を指令する搬送要求指令部と、前記搬送要求が指令された患者の位置を検出する患者位置検出部と、を有し、
前記緊急搬送手配装置は、
前記搬送要求指令部より指令された搬送要求を受け付ける要求受付部と、
前記患者位置検出部により検出された患者の位置情報を含む患者情報を取得する患者情報取得部と、
前記患者情報取得部により取得された患者情報に基づき、患者の緊急搬送先の医療機関を決定する医療機関決定部と、
予め前記臨時緊急車両として使用することが車両ユーザにより許可された前記複数の車両を登録する車両登録部と、
前記車両登録部に登録された複数の車両の位置情報を含む車両情報を取得する車両情報取得部と、
前記要求受付部により前記搬送要求が受け付けられると、前記患者情報取得部により取得された患者情報と前記車両情報取得部により取得された車両情報とに基づき、前記車両登録部に登録された複数の車両のうち前記患者から所定範囲内に位置する車両を臨時緊急車両に認定する車両認定部と、
前記車両認定部により臨時緊急車両に認定された車両に搭載された、または該車両のユーザにより携帯された前記車両側装置に対し、前記患者情報取得部により取得された患者情報および前記医療機関決定部により決定された医療機関の情報とともに、前記医療機関への患者の搬送指令を出力する出力部と、を備えることを特徴とする緊急搬送手配システム。
【請求項６】
医療機関への緊急搬送を要する患者からの搬送要求を受け付け、
前記搬送要求が受け付けられた患者の位置情報を含む患者情報を取得し、
取得された患者情報に基づき、患者を緊急搬送する医療機関を決定し、
予め患者を医療期間へ緊急搬送する臨時緊急車両として使用することが車両ユーザにより許可された複数の車両を登録し、
登録された複数の車両の位置情報を含む車両情報を取得し、
前記搬送要求が受け付けられると、前記取得された患者情報と前記取得された車両情報とに基づき、前記登録された複数の車両のうち前記患者から所定範囲内に位置する車両を臨時緊急車両に認定し、
前記臨時緊急車両に認定された車両に搭載された、または該車両のユーザにより携帯された車両側装置に対し、前記取得された患者情報および前記決定された医療機関の情報とともに、前記医療機関への患者の搬送指令を出力することを含むことを特徴とする緊急搬送手配方法。
【発明の詳細な説明】
【技術分野】
【０００１】
本発明は、医療機関へ患者を搬送するための臨時の緊急車両を手配する緊急搬送手配装置、緊急搬送手配システムおよび緊急搬送手配方法に関する。
【背景技術】
【０００２】
近年、医療機関へ緊急搬送される患者数の増加によって救急車の出動回数が増加し、それに伴い救急車の数が不足して、患者を医療機関まで搬送するまでに要する時間が長くなる傾向にある。この点に関し、従来、管轄内の緊急車両（救急車等）の不足に応じて他の管轄に緊急車両の応援を要請するようにした装置が知られている（例えば特許文献１参照）。
【先行技術文献】
【特許文献】
【０００３】
【特許文献１】特開２００９−１３４４９０号公報
【発明の概要】
【発明が解決しようとする課題】
【０００４】
しかしながら、上記特許文献１記載の装置のように他の管轄に緊急車両の応援を要請したとしても、所定時間内に患者のもとに直行できる緊急車両は限られており、緊急車両の不足に対し十分に対処することが困難である。
【課題を解決するための手段】
【０００５】
本発明の一態様である緊急搬送手配装置は、医療機関への緊急搬送を要する患者からの搬送要求を受け付ける要求受付部と、要求受付部により搬送要求が受け付けられた患者の位置情報を含む患者情報を取得する患者情報取得部と、患者情報取得部により取得された患者情報に基づき、患者の緊急搬送先の医療機関を決定する医療機関決定部と、予め患者を医療機関へ緊急搬送する臨時緊急車両として使用することが車両ユーザにより許可された複数の車両を登録する車両登録部と、車両登録部に登録された複数の車両の位置情報を含む車両情報を取得する車両情報取得部と、要求受付部により搬送要求が受け付けられると、患者情報取得部により取得された患者情報と車両情報取得部により取得された車両情報とに基づき、車両登録部に登録された複数の車両のうち患者から所定範囲内に位置する車両を臨時緊急車両に認定する車両認定部と、車両認定部により臨時緊急車両に認定された車両に搭載された、またはこの車両のユーザにより携帯された車両側装置に対し、患者情報取得部により取得された患者情報および医療機関決定部により決定された医療機関の情報とともに、医療機関への患者の搬送指令を出力する出力部と、を備える。
【０００６】
本発明の他の態様は、予め患者を所定の医療期間へ緊急搬送する臨時緊急車両として使用することが車両ユーザにより許可された複数の車両に搭載された、またはこの車両のユーザにより携帯された車両側装置と、患者により携帯された患者側装置と、車両側装置および患者側装置と通信可能に設けられた緊急搬送手配装置と、を備える緊急搬送手配システムである。車両側装置は、車両の位置を検出する車両位置検出部を有し、患者側装置は、医療機関への患者の搬送要求を指令する搬送要求指令部と、搬送要求が指令された患者の位置を検出する患者位置検出部と、を有し、緊急搬送手配装置は、搬送要求指令部より指令された搬送要求を受け付ける要求受付部と、患者位置検出部により検出された患者の位置情報を含む患者情報を取得する患者情報取得部と、患者情報取得部により取得された患者情報に基づき、患者の緊急搬送先の医療機関を決定する医療機関決定部と、予め臨時緊急車両として使用することが車両ユーザにより許可された複数の車両を登録する車両登録部と、車両登録部に登録された複数の車両の位置情報を含む車両情報を取得する車両情報取得部と、要求受付部により搬送要求が受け付けられると、患者情報取得部により取得された患者情報と車両情報取得部により取得された車両情報とに基づき、車両登録部に登録された複数の車両のうち患者から所定範囲内に位置する車両を臨時緊急車両に認定する車両認定部と、車両認定部により臨時緊急車両に認定された車両に搭載された、またはこの車両のユーザにより携帯された車両側装置に対し、患者情報取得部により取得された患者情報および医療機関決定部により決定された医療機関の情報とともに、医療機関への患者の搬送指令を出力する出力部と、を備える。
【０００７】
本発明のさらに他の態様である緊急搬送手配方法は、医療機関への緊急搬送を要する患者からの搬送要求を受け付け、搬送要求が受け付けられた患者の位置情報を含む患者情報を取得し、取得された患者情報に基づき、患者を緊急搬送する医療機関を決定し、予め患者を医療期間へ緊急搬送する臨時緊急車両として使用することが車両ユーザにより許可された複数の車両を登録し、登録された複数の車両の位置情報を含む車両情報を取得し、搬送要求が受け付けられると、取得された患者情報と取得された車両情報とに基づき、登録された複数の車両のうち患者から所定範囲内に位置する車両を臨時緊急車両に認定し、臨時緊急車両に認定された車両に搭載された、またはこの車両のユーザにより携帯された車両側装置に対し、取得された患者情報および決定された医療機関の情報とともに、医療機関への患者の搬送指令を出力することを含む。
【発明の効果】
【０００８】
本発明によれば、予め登録された一般車両の中から患者の位置等を考慮して臨時緊急車両を認定し、臨時緊急車両に医療機関への患者の搬送指令を出力するので、緊急車両の不足に対し十分に対処することができる。
【図面の簡単な説明】
【０００９】
【図１】本発明の実施形態に係る緊急搬送手配システムの全体構成を概略的に示す図。
【図２】図１の車載端末の概略構成を示すブロック図。
【図３】図１の緊急搬送手配装置の概略構成を示すブロック図。
【図４】図３の緊急搬送手配装置の動作の一例を説明する図。
【図５】図３の緊急搬送手配装置で実行される処理の一例を示すフローチャート。
【発明を実施するための形態】
【００１０】
以下、図１〜図５を参照して本発明の実施形態について説明する。本発明の実施形態に係る緊急搬送手配装置は、例えば路上等で具合が悪くなって病院等の医療機関ないし医療施設での手当が必要になった人（患者）を、救急車等の専用の緊急車両を用いる代わりに一般車両を用いて医療機関に搬送するように構成される。すなわち、本実施形態では、救急車等の不足に対処するため、一般車両が臨時の緊急車両として用いられる。
【００１１】
図１は、本発明の実施形態に係る緊急搬送手配システム１００の全体構成を概略的に示す図である。図１に示すように、緊急搬送手配システム１００は、予め臨時緊急車両として登録された複数の車両１にそれぞれ搭載された車載端末２と、患者３が携帯する携帯端末４と、医療機関５に設けられた病院用端末６と、緊急搬送手配装置（サーバ）１０とを備える。これら車載端末２、携帯端末４、病院用端末６および緊急搬送手配装置１０は、無線通信網を含むネットワーク７に接続される。
【００１２】
車両１は、自動運転機能を有する自動運転車両であり、車両１には、セダン、ミニバン、ワンボックスカー、ワゴン、トラック等の種々のタイプの四輪車両が含まれる。このうち、例えば患者３を寝かせた状態で乗車させるときには、ワンボックスカーやワゴンを用いることが好ましい。
【００１３】
図２は、車載端末２の概略構成を示すブロック図である。図２に示すように、車載端末２は、ＥＣＵ（電子制御ユニット）２０と、それぞれＥＣＵ２０に接続された無線部２１と、センサ群２２と、ナビゲーション装置２３と、アクチュエータ２４と、報知器２５とを有する。
【００１４】
無線部２１は、携帯電話網や無線ＬＡＮ等に代表される無線通信網を介し、緊急搬送手配装置１０（図１）と無線通信可能に構成される。無線部２１は、例えばＷｉ−Ｆｉ（登録商標）、Bluetooth（登録商標）等の近接無線通信技術を適用可能な近接無線通信部（図示せず）を含むように構成されてもよい。無線部２１は、車両の起動スイッチ（イグニッションスイッチ）のオンオフ状態、現在位置、車速等の情報、すなわち車両情報を緊急搬送手配装置１０に送信し、患者の搬送指令、患者の位置情報、医療機関の位置情報等を緊急搬送手配装置１０から受信することができる。
【００１５】
センサ群２２は、車両の周辺状況を検出する複数の検出機器、例えば障害物検出器２２１とカメラ２２２とを含んで構成される。センサ群２２は、車両の周辺状況だけでなく、車両の走行状態に応じた情報を検出する各種検出機器、例えば車速センサ、加速度センサ、ヨーレートセンサ等も含む。さらにセンサ群２２は、着座センサ等、患者の乗車の有無を検知する乗車検知部も含む。
【００１６】
ナビゲーション装置２３は、ＧＰＳ衛星から信号を受信して車両の現在位置を測定するＧＰＳ受信部（ＧＰＳセンサ）２３１と、地図情報を記憶した地図データベース２３２と、運転席の前方に設けられ、地図上の車両の位置情報を表示する表示部２３３と、ドライバに各種情報を音声で報知するスピーカ２３４と、目標径路を演算する演算部２３５とを有する。地図データベース２３２に記憶される地図情報には、道路の位置や形状等の情報の他、病院などの各種施設の位置や形状等の情報が含まれる。地図情報は、無線部２１を介して外部（緊急搬送手配装置１０等）から取得することもできる。
【００１７】
演算部２３５は、ＧＰＳセンサ２３１によって測定された車両の現在位置と地図データベース２３２の地図情報とに基づいて、現在位置から目標地点（目的地）に至るまでの目標経路を演算し、車両の現在位置情報とともに目標経路情報をＥＣＵ２０に出力する。さらに演算部２３５は、車両の現在位置と目標経路とを表示部２３３に表示させるとともに、目標経路情報をスピーカ２３４から音声で出力させる。なお、表示部２３３は、例えばタッチパネルにより構成され、経路探索に関する各種情報を入力する入力部としても機能する。目標地点はタッチパネルを介して入力することができ、さらには無線部２１を介して緊急搬送手配装置１０から取得することもできる。
【００１８】
アクチュエータ２４は、ＥＣＵ２０から出力される制御信号により駆動し、走る、曲がる、止まるといった車両１の基本動作を含む走行動作を実現する。アクチュエータ２４は、走行駆動力を発生する駆動アクチュエータと、制動力を発生する制動アクチュエータと、操舵力を発生する操舵アクチュエータとを含む。駆動アクチュエータは、車両が電気自動車両やハイブリッド車両である場合、例えば走行モータにより構成される。なお、車両がエンジンで駆動する車両である場合、駆動アクチュエータは例えばスロットル開度を制御するスロットルアクチュエータにより構成される。制動アクチュエータは、例えばブレーキディスクに油圧を供給する油圧機器により構成される。操舵アクチュエータは、例えば電動パワーステアリングのステアリングトルクを制御するステアリングモータにより構成される。
【００１９】
報知器２５は、車両が臨時緊急車両であることを外部に報知するためのものであり、救急車のサイレンや回転灯に相当する。報知器２５は、例えば警音器（クラクション）、ライト、ウィンカー等、車両状態を外部に報知することが可能な各種機器により構成することができる。
【００２０】
ＥＣＵ２０は、プロセッサやメモリ等、すなわちＣＰＵ，ＲＯＭ，ＲＡＭその他の周辺回路を有する演算処理装置を含んで構成される。ＥＣＵ２０は、機能的構成として、運転モード設定部２０１と、走行計画作成部２０２と、走行制御部２０３とを有する。
【００２１】
運転モード設定部２０１は、ドライバにより操作される図示しないモード切換スイッチの操作に応じて手動運転モードおよび自動運転モードのいずれかの運転モードを設定する。手動運転モードは、ドライバ自身がアクセルペダル、ブレーキペダルペダル、ステアリングハンドル等を操作し、その操作に応じてアクチュエータ２４を駆動して車両走行するモードである。自動運転モードは、センサ群２２等からの信号に基づいてＥＣＵ２０（走行制御部２０３）がアクチュエータ２４に自動的に制御信号を出力し、車両１を目標地点に向けて自動走行させるモードである。自動運転モードは、ドライバが乗車した有人自動運転モードと、ドライバが乗車しない無人自動運転モードとに大別される。
【００２２】
走行計画作成部２０２は、自動運転モードが設定されたとき、ナビゲーション装置２３により取得した目標地点までの目標経路を含む走行計画を作成する。目標径路を、無線部２１を介して緊急搬送手配装置１０から取得することもできる。走行計画には、目標経路の他、目標走行速度や目標走行加速度等の情報も含まれる。走行計画作成部２０２は、センサ群２２により患者の乗車が検知されるまでは、患者の位置を目標地点として走行計画を作成する。患者の乗車が検知された後は、所定の医療機関を目標地点として走行計画を作成する。
【００２３】
走行制御部２０３は、運転モードに応じた態様でアクチュエータ２４に制御信号を出力し、車両を走行させる。例えば自動運転モードのときは、走行計画作成部２０２で作成した走行計画に基づいてアクチュエータ２４に制御信号を出力し、車両を自動運転で目標地点に向け目標径路に沿って走行させる。このとき、センサ群２２からの信号に基づき車両周囲の障害物の有無を確認し、障害物との接触を回避するようにアクチュエータ２４に制御信号を出力して車両の走行動作を制御する。なお、手動運転モードのときは、センサ群２２（アクセルペダルセンサ、ブレーキペダルセンサ等の操作検知部）で検出された走行指令に基づいてアクチュエータ２４に制御信号を出力し、車両を手動運転で走行させる。
【００２４】
図示は省略するが、ＥＣＵ２０は、無線部２１を介して入力された指令により、車両の起動スイッチに自動的に制御信号を出力し、起動スイッチのオンにより車両を自動的に起動（例えばイグニッションスイッチをオン）することができる。車両起動後に、走行制御部２０３がアクチュエータ２４に制御信号を出力することで、車両を無人で走行、すなわち無人自動運転モードで走行させることができる。臨時緊急車両として車両が走行するときは、走行制御部２０３は報知器２５に制御信号を出力し、報知器２５を作動させる。
【００２５】
図１に示す携帯端末４は、患者３により携帯して使用されるスマートフォンやタブレット端末、携帯電話、さらには各種ウェアラブル端末等により構成され、無線部４１を介して公衆無線通信網に接続可能である。携帯端末４は、ＧＰＳ受信部（ＧＰＳセンサ）４２を有し、ＧＰＳセンサ４２により患者の現在位置情報を得ることができる。さらに携帯端末４は、医療機関への搬送要求を指令する入力部４３を有する。入力部４３は、押圧操作可能な物理的スイッチ等により構成される。入力部４３が操作されると、無線部４１を介して緊急搬送手配装置１０に、患者３の識別ＩＤと、搬送要求と、ＧＰＳセンサ４２により得られた患者（携帯端末４）の位置情報とが送信される。
【００２６】
緊急搬送手配装置１０は、患者３からの搬送要求と患者３の位置情報とを受信すると、複数の医療機関５の中から患者３の位置情報を含む患者情報に基づいて適切な医療機関５を選択し、選択した医療機関５の端末（病院用端末６）に患者３の受け入れ要求を送信する。病院用端末６は、受信した患者情報に基づいて患者３を受け入れ可能か否かを判定し、受け入れ可能と判定すると、患者３の予約を受け付けるとともに、その判定結果を緊急搬送手配装置１０に送信する。一方、病院用端末６は、受け入れ不可能と判定すると、その判定結果を緊急搬送手配装置１０に送信する。緊急搬送手配装置１０は、病院用端末６から受け入れ不可能の判定結果を受信すると、別の医療機関を選択し、選択した医療機関５の病院用端末に同様に受け入れ要求を送信する。
【００２７】
緊急搬送手配装置１０は、種々の機能を有するサーバである。なお、以下では、緊急搬送手配装置１０を単一のサーバとして説明するが、機能毎に別々のサーバから構成される分散サーバであってもよく、またクラウドサーバと呼ばれる分散型の（仮想サーバを含む）サーバで実現されてもよい。
【００２８】
図３は、緊急搬送手配装置１０の概略構成を示すブロック図である。緊急搬送手配装置１０は、プロセッサやメモリ等、すなわちＣＰＵ，ＲＯＭ，ＲＡＭその他の周辺回路を有する演算処理装置を含んで構成され、無線部１１を介して車載端末２、携帯端末４、および病院用端末６と通信可能である。図３に示すように、緊急搬送手配装置１０は、機能的構成として、記憶部１２と、要求受付部１３と、患者情報取得部１４と、医療機関決定部１５と、車両登録部１６と、車両情報取得部１７と、車両認定部１８と、出力部１９とを有する。
【００２９】
記憶部１２は、患者の識別ＩＤ毎に患者の年齢、性別、既往歴等の患者固有の情報（患者情報）と、患者を緊急搬送可能な医療機関の住所、診療時間、休診日、診療科目等の医療機関情報と、医療機関の周辺の道路地図や医療機関の駐車場等を含む地図情報とを記憶するデータベースとして構成される。
【００３０】
要求受付部１３は、携帯端末４との通信により、携帯端末４の入力部４３を介して入力された搬送要求、すなわち医療機関への緊急搬送を要する患者からの搬送要求を受け付ける。
【００３１】
患者情報取得部１４は、携帯端末４との通信により、患者の識別ＩＤとＧＰＳセンサ２３１により検知された患者（携帯端末４）の位置情報とを取得する。
【００３２】
医療機関決定部１５は、患者情報取得部１４により取得された患者の識別ＩＤおよび位置情報と、予め記憶部１２に記憶された患者情報および医療機関情報とに基づき、病院用端末６と通信を行って、患者の緊急搬送先の医療機関を決定する。例えば患者情報に対応する緊急搬送先として複数の候補がある場合には、医療機関決定部１５は、患者に最も近い医療機関を選択するとともに、選択した医療機関の病院用端末６に患者の受け入れ要求を送信する。この受け入れ要求に対し、医療機関決定部１５が病院用端末６から受け入れ可能の判定結果を受信すると、その医療機関を緊急搬送先の医療機関に決定する。医療機関決定部１５は、受け入れ不可能の判定結果を受信したときは、別の医療機関に受け入れ要求を送信し、緊急搬送先の医療機関が決定されるまで同様の処理を繰り返す。
【００３３】
車両登録部１６は、予め患者を所定の医療機関へ緊急搬送する臨時緊急車両として使用することが車両ユーザにより許可された複数の車両と、それらの車両情報とを登録する。車両は、例えば自動運転機能を有する車両であり、車両情報には、車両ユーザの氏名、住所、連絡先等の車両ユーザの情報の他、セダンやワンボックス等の車両のタイプを識別する情報が含まれる。なお、自動運転機能を有しない車両を登録してもよい。
【００３４】
車両情報取得部１７は、要求受付部１３が搬送要求を受け付けると、車両登録部１６に登録された各車両の車載端末２に位置情報送信指令を出力する。位置情報送信指令を受信した車載端末２は、ＧＰＳセンサ２３１により検知された車両の位置情報を送信する。これにより車両情報取得部１７は、車載端末２との通信により、車両登録部１６に登録された各車両の位置情報を取得する。
【００３５】
車両認定部１８は、患者情報取得部１４により取得された患者の位置情報（患者情報の一部）と、車両情報取得部１７により取得された車両の位置情報（車両情報の一部）とに基づき、車両登録部１６に登録された複数の車両の中から、患者から第１所定範囲内に位置する車両を検索する。
【００３６】
図４は、患者３と、患者３の周囲の車両１（１ａ〜１ｆ）と、医療機関５の配置の一例を示す図である。図４に示すように、第１所定範囲ＡＲ１は、例えば患者３の位置を中心とした半径が第１所定距離Ｒ１内の範囲である。なお、患者３の位置に到着するまでの時間が所定時間以内となるように、道路の混雑状況等を考慮して第１所定範囲ＡＲ１を設定することもできる。図４では、第１所定範囲ＡＲ１内に複数の車両１ａ〜１ｄが位置している。車両認定部１８は、これら複数の車両１ａ〜１ｄを検索し、それぞれを臨時緊急車両に認定する。
【００３７】
出力部１９（図３）は、車両認定部１８により臨時緊急車両に認定された単一または複数の車両の車載端末２に対し、無線部１１を介して、患者情報取得部１４で取得された患者の位置情報および医療機関決定部１５で決定された医療機関の位置情報とともに、患者をその医療機関へ搬送させる搬送指令を出力（送信）する。搬送指令は、車両を患者のもとに走行させる指令と、患者が乗車した車両を医療機関まで走行させる指令とを含む。なお、緊急搬送手配装置１０に目標地点までの目標経路を設定する機能を持たせ、出力部１９を通じて車載端末２に対して目標経路を出力（送信）することも可能である。
【００３８】
ここで、図４に示すように、第１所定距離Ｒ１よりも短い第２所定距離Ｒ２を設定し、第１所定範囲ＡＲ１内のうち、患者３から遠い第２所定距離Ｒ２以上の範囲を第２所定範囲ＡＲ２と定義する。出力部１９は、記憶部１２に記憶された道路情報に基づいて、第２所定範囲ＡＲ２内に位置する車両１ａ，１ｄから患者３までの目標径路を演算し、その径路情報を併せて該当する車両１ａ，１ｄに出力する。なお、車両から患者までの距離の長短に拘らず常に目標径路を演算し、径路情報を各車両１ａ〜１ｄに出力するようにしてもよい。さらに出力部１９は、患者の位置から搬送先の医療機関に至るまでの目標径路を演算し、径路情報を併せて各車両１ａ〜１ｄに出力する。
【００３９】
出力部１９は、信号機の切換を行う交通制御装置を含む交通システムに対し信号を出力することもできる。具体的には、車両認定部１８により臨時緊急車両として認定された車両の位置情報と、その車両から、医療機関決定部１５により患者の搬送先として決定された医療機関に至るまでの径路情報とを出力する。この出力信号に応じて交通システムが車両の信号待ち時間を短縮するように信号機の切換を制御することで、車両を医療機関に迅速に到着させることができる。なお、車両から患者の位置に至るまでの径路情報を交通システムに出力し、この径路情報に基づいて交通システムが車両の信号待ち時間を短縮するように信号機の切換を制御することもでき、これにより車両を患者のもとに迅速に到着させることができる。
【００４０】
図５は、予めメモリに記憶されたプログラムに従い、緊急搬送手配装置１０のＣＰＵで実行される処理の一例を示すフローチャートである。このフローチャートに示す処理は、例えば携帯端末４から出力された搬送要求を緊急搬送手配装置１０が受信すると開始される。まず、ステップＳ１で、要求受付部１３での処理により、受信した搬送要求を受け付ける。次いでステップＳ２で、患者情報取得部１４での処理により、患者の識別ＩＤと、ＧＰＳセンサ４２により検知された患者の位置情報とを含む患者情報を取得する。
【００４１】
次いでステップＳ３で、医療機関決定部１５での処理により、患者の識別ＩＤに対応する患者情報と、患者の位置情報と、医療機関情報とに基づき、患者を迅速に受け入れ可能な医療機関を決定する。次いでステップＳ４で、車両情報取得部１７での処理により、ＧＰＳセンサ２３１により検知された車両の位置情報を含む車両情報を取得する。次いで、ステップＳ５で、車両認定部１８での処理により、車両登録部１６に登録された各車両につき、第１所定範囲ＡＲ１内に位置するか否かを判定する。ステップＳ５で肯定されるとステップＳ６に進み、否定されると処理を終了する。ステップＳ６では、第１所定範囲ＡＲ１内に位置すると判定された車両を臨時緊急車両に認定する。
【００４２】
次いで、ステップＳ７で、第１所定範囲ＡＲ１内に位置すると判定された車両がさらに第２所定範囲ＡＲ２内に位置するか否かを判定する。ステップＳ７で肯定されるとステップＳ８に進み、出力部１９での処理により、車両から患者に至るまでの目標径路を演算し、第２所定範囲ＡＲ２内の車両に対し、患者の位置情報および径路情報と、医療機関の位置情報とを出力するとともに、患者を医療機関へ搬送させる搬送指令を出力する。一方、ステップＳ７で否定されるとステップＳ９に進み、第２所定範囲ＡＲ２内の車両に対し、患者の位置情報および医療機関の位置情報と搬送指令とを出力する。なお、車両が患者を目標地点として走行するときは医療機関の位置情報を出力せず、車両に患者が乗車した後に、当該車両に医療機関の位置情報を出力するようにしてもよい。ステップＳ８，ステップＳ９で、車両から医療機関に至るまでの目標径路を演算し、医療機関の位置情報とともに医療機関に至るまでの径路情報を出力してもよい。
【００４３】
次いで、ステップＳ１０で、出力部１９での処理により、車両情報取得部１７により取得された車両情報と、その車両情報を有する車両から患者の搬送先である医療機関に至るまでの径路情報とを交通システムに対し出力する。なお、臨時緊急車両として複数の車両が認定されたとき、患者が車両に乗車した後は、車両情報として、患者が乗車した車両の車両情報（車両の位置情報）のみを出力する。すなわち、患者が乗車した後は、当該車両のみが医療機関へ向かう臨時緊急車両として動作するので、その車両の位置情報を交通システムに対し出力する。
【００４４】
本実施形態に係る緊急搬送手配システム１００の動作をまとめると以下のようになる。なお、以下では、無人自動運転モードで車両が走行する場合を例にして説明する。例えば図４に示すように、車両登録部１６に登録された車両１ａ〜１ｆが患者３の周囲に配置された状態において、患者が携帯端末４の入力部４３を操作し、携帯端末４から搬送要求が出力されると、緊急搬送手配装置１０は、その搬送要求を受け付け、患者の位置情報を含む患者情報に基づいて患者３の搬送先の医療機関５を決定する（ステップＳ１〜ステップＳ３）。さらに緊急搬送手配装置１０は、予め車両登録部１６に登録された車両１ａ〜１ｆの位置情報を取得し、車両１ａ〜１ｆが患者を中心とした第１所定範囲ＡＲ１内に位置するか否かを判定し、第１所定範囲ＡＲ１内の車両１ａ〜１ｄを臨時緊急車両に認定する（ステップＳ４〜ステップＳ６）。
【００４５】
その結果、臨時緊急車両１ａ〜１ｄの車載端末２には、患者３を医療機関５に搬送すべき搬送指令が出力される（ステップＳ８，ステップＳ９）。これにより車載端末２は、患者３の目標地点として走行計画を作成し、車両１ａ〜１ｄは報知器２５を作動させながら、図４の矢印に示すように、自動運転により目標地点まで走行する。このとき、患者３から遠い第２所定範囲ＡＲ２内の車両１ａ，１ｄには、患者３に至るまでの径路情報が併せて出力される（ステップＳ８）。これにより車載端末２は、目標地点が遠い場合であっても、目標地点までの的確な走行計画を容易に作成することができる。
【００４６】
複数の車両１ａ〜１ｄは、報知器２５を作動させながら患者３の近傍まで来て停車する。このため、患者３は、臨時緊急車両１ａ〜１ｄを容易に認識することができる。患者３が複数の車両の１台（例えば車両１ｄ）に乗車すると、以降、患者の乗車が検知されたその車両１ｄのみが臨時緊急車両となる。患者の乗車は、例えば着座センサ（センサ群２２）からの信号により検知することができる。ＧＰＳセンサ４２，２３１により検出された車両の位置と患者の位置との差が所定値以内になったか否かを判定することにより、患者の乗車を検知することもできる。
【００４７】
患者が乗車した車両１ｄの車載端末２は、医療機関５を目標地点とする走行計画を作成し、その走行計画に従いアクチュエータ２４に制御信号を出力し、車両１ｄの走行動作を制御する。さらに車載端末２は、報知器２５にも制御信号を出力する。これにより車両１ｄは、報知器２５を作動させながら図４の矢印に示すように自動運転により医療機関５まで走行する。このとき、交通システムには、車両１ｄの位置情報と車両１ｄから医療機関５への径路情報とが出力され（ステップＳ１０）、その出力信号に応じて交通システムは信号機の切換を制御する。これにより、車両１ｄは短時間で医療機関５に到着することができる。
【００４８】
本実施形態によれば以下のような作用効果を奏することができる。
（１）緊急搬送手配装置１０は、医療機関への緊急搬送を要する患者からの搬送要求を受け付ける要求受付部１３と、要求受付部１３により搬送要求が受け付けられた患者の位置情報を含む患者情報を取得する患者情報取得部１４と、患者情報取得部１４により取得された患者情報に基づき、患者の緊急搬送先の医療機関を決定する医療機関決定部１５と、予め患者を医療機関へ緊急搬送する臨時緊急車両として使用することが車両ユーザにより許可された複数の車両を登録する車両登録部１６と、車両登録部１６に登録された複数の車両の位置情報を含む車両情報を取得する車両情報取得部１７と、要求受付部１３により搬送要求が受け付けられると、患者情報取得部１４により取得された患者情報と車両情報取得部１７により取得された車両情報とに基づき、車両登録部１６に登録された複数の車両１ａ〜１ｆのうち患者から第１所定範囲ＡＲ１内に位置する車両１ａ〜１ｄを臨時緊急車両に認定する車両認定部１８と、車両認定部１８により臨時緊急車両に認定された車両１ａ〜１ｄに搭載された車載端末２に対し、患者情報取得部１４により取得された患者情報および医療機関決定部１５により決定された医療機関の情報とともに、医療機関への患者の搬送指令を出力する出力部１９とを備える（図３，図４）。
【００４９】
これにより、予め車両登録部１６に登録された一般車両を、患者を医療機関まで搬送する臨時緊急車両として用いることができる。このため、救急車等の緊急車両の不足に対し十分に対処することができる。この場合、患者から所定範囲内に位置する車両を臨時緊急車両として用いるので、臨時緊急車両は患者のもとに短時間で直行することができ、携帯端末４から搬送要求が出力されてから医療機関へ患者が搬送されるまでの搬送時間を短縮することができる。
【００５０】
（２）出力部１９は、車両認定部１８により認定された車両が患者から所定距離Ｒ２以上離れているとき（図４の車両１ａ，１ｄ）、その車両１ａ，１ｄから患者に至るまでの径路情報を併せて出力する（ステップＳ８）。このとき、車両は径路情報に従って走行計画を作成し、自動運転で走行するので、臨時緊急車両が患者から遠い場合であっても、車両は適確な径路に沿って走行することができ、患者のもとに迅速に到着することができる。
【００５１】
（３）車両認定部１８は、患者を中心とした第１所定範囲ＡＲ１内に位置する車両が複数あるとき（図４の車両１ａ〜１ｄ）、これら複数の車両１ａ〜１ｄを臨時緊急車両として認定する（ステップＳ６）。出力部１９は、車両認定部１８により認定された複数の車両１ａ〜１ｄに搭載された車載端末２に対し、患者情報と搬送指令とを出力する（ステップＳ８）。このように複数の車両１ａ〜１ｄに搬送指令を出力することで、患者は臨時緊急車両を容易に認識することができる。また、複数の車両１ａ〜１ｄの車両タイプが異なるとき、患者は所望のタイプの車両を選択して乗車することができる。
【００５２】
（４）出力部１９は、さらに信号機の切換を行う交通制御装置を含む交通システムに対し、車両情報取得部１７により取得された車両情報と、この車両情報を有する車両から医療機関決定部１５により決定された医療機関に至るまでの径路情報とを出力する（ステップＳ１０）。これにより交通システムは、車両の信号待ち時間を短縮するように信号機の切換を制御することができ、車両は効率よく短時間で医療機関に到着することができる。
【００５３】
（５）緊急搬送手配システム１００は、予め患者を医療期間へ緊急搬送する臨時緊急車両として使用することが車両ユーザにより許可された複数の車両１ａ〜１ｆに搭載された車載端末２と、患者により携帯された携帯端末４と、車載端末２および携帯端末４と通信可能に設けられた上述の緊急搬送手配装置１０とを備える。車載端末２は、車両１の位置を検出するＧＰＳセンサ２３１を有し、携帯端末４は、医療機関への患者の搬送要求を入力する入力部４３と、搬送要求を入力した患者の位置を検出するＧＰＳセンサ４２とを有する（図１，図２）。このように車載端末２と携帯端末４と緊急搬送手配装置１０とにより緊急搬送手配システム１００を構成することで、患者が携帯端末４の入力部４３を操作するだけで、臨時緊急車両が患者のもとに直行して患者を医療機関まで搬送することができ、患者の搬送時間を短縮することができる。
【００５４】
（６）緊急搬送手配方法は、医療機関への緊急搬送を要する患者からの搬送要求を受け付け（ステップＳ１）、搬送要求が受け付けられた患者の位置情報を含む患者情報を取得し（ステップＳ２）、取得された患者情報に基づき、患者を緊急搬送する医療機関を決定し（ステップＳ３）、予め患者を医療期間へ緊急搬送する臨時緊急車両として使用することが車両ユーザにより許可された複数の車両を登録し、登録された複数の車両の位置情報を含む車両情報を取得し（ステップＳ４）、搬送要求が受け付けられると、取得された患者情報と取得された車両情報とに基づき、登録された複数の車両のうち患者から所定範囲ＡＲ１内に位置する車両を臨時緊急車両に認定し（ステップＳ６）、臨時緊急車両に認定された車両に搭載された車載端末２に対し、患者情報および医療機関の情報とともに、医療機関への患者の搬送指令を出力することを含む（図５）。これにより一般車両を、患者を医療機関まで搬送する臨時緊急車両として用いることができ、救急車等の専用の緊急車両の不足に対処することができる。
【００５５】
上記実施形態は、種々の形態に変形することができる。以下、変形例について説明する。上記実施形態では、患者の搬送指令を受信した臨時緊急車両が自動運転で患者のもとに直行するようにしたが、患者が乗車するまで臨時緊急車両が駐車場等で待機するとともに、臨時緊急車両は医療機関のみを目標地点として走行計画を作成するようにしてもよい。この場合、患者自身が周囲の臨時緊急車両を探すことになるが、臨時緊急車両が報知器２５を作動しながら駐車場で待機していれば、患者は容易に臨時緊急車両を発見することができる。
【００５６】
上記実施形態では、緊急搬送手配装置１０、緊急搬送手配方法および緊急搬送手配システム１００を、無人自動運転モードで走行する車両に適用する例を説明したが、有人自動運転モードや手動運転モードで走行する車両に対しても同様に適用することができる。例えば自動運転モードで走行する車両と手動運転モードで走行する車両の双方に同時に適用することができる。なお、臨時緊急車両として認定された車両が無人自動運転モードで走行するとき、その情報を車両ユーザの携帯端末に送信することが好ましい。
【００５７】
緊急搬送手配装置１０、緊急搬送手配方法および緊急搬送手配システム１００を、手動運転モードで走行する車両に適用する場合、例えば出力部１９が、車両認定部１８により臨時緊急車両として認定された車両のユーザが携帯する携帯端末等に搬送要求を送信するとともに、当該車両の車載端末２に患者の位置情報と医療機関の位置情報等を送信し、これらの位置情報に基づいて車両のナビゲーション装置２３あるいは車両ユーザの携帯端末に目的地を設定するようにしてもよい。これにより車両ユーザは、例えば自宅にいる場合であっても、あるいは車両を運転中であっても、臨時緊急搬送の要求の有無を認識することができ、車両を手動運転して患者のもとへ向かい、患者を医療機関へと搬送することができる。有人自動運転モード時や手動運転モード時には、車両ユーザが乗車しているため、臨時緊急車両として認定された自車への患者の乗車を介助することができる。
【００５８】
このように、出力部が搬送指令等を出力する対象である車両側装置は、臨時緊急車両に搭載された車載端末２に限らず、車両ユーザにより携帯されたスマートフォン等の携帯端末であってもよい。すなわち車載端末２のＧＰＳセンサ２３１でなく、車両ユーザにより携帯された携帯端末のＧＰＳセンサ等により、車両の位置を検出するようにしてもよく、車両位置検出部の構成は上述したものに限らない。
【００５９】
上記実施形態では、予め車両登録部１６に登録されて患者から所定範囲ＡＲ１内に位置する車両を臨時緊急車両に認定するようにしたが、センサ群２２で車両状態を検出し、車両の位置だけでなく車両状態に応じて臨時緊急車両の認定を行うようにしてもよい。例えば自動運転モードで走行する車両の場合には、イグニッションスイッチのオフ等により車両が起動停止状態であることを条件として、臨時緊急車両を認定するようにしてもよい。一方、手動運転モードで走行する車両の場合には、イグニッションスイッチがオンであれば、患者のもとに即座に直行することが可能であるため、イグニッションスイッチのオンを、臨時緊急車両に認定するための条件としてもよい。
【００６０】
上記実施形態では、携帯端末４の入力部４３の操作により搬送要求を指令するようにしたが、患者の健康状態（体温、血圧、心拍、脈拍、脳波等）を計測可能なセンサを設け、センサにより所定の健康状態が計測されたときに、入力部４３の操作に拘らず自動的に搬送要求を指令するようにしてもよい。より詳しくは患者の意識レベルを計測可能なセンサを設け、センサにより計測された意識レベルが所定値以下になったときに自動的に搬送要求を指令するようにしてもよい。したがって、搬送要求指令部の構成は入力部４３に限らない。この場合、意識レベルに応じて臨時緊急車両に認定する車両のタイプを変更してもよい。すなわち、意識レベルが低いときは、患者を寝かせたまま搬送することが好ましいので、この場合には車両認定部１８が、ワンボックスカーやワゴン等を臨時緊急車両に認定するようにしてもよい。センサにより計測された健康状態の状態に基づいて、医療機関決定部が搬送先の医療機関を決定するようにしてもよい。
【００６１】
上記実施形態では、ＧＰＳセンサ４２により携帯端末４を携帯する患者の位置を検出するようにしたが、患者位置検出部の構成はこれに限らない。すなわち、医療機関への患者の搬送要求を指令する搬送要求指令部と、搬送要求が指令された患者の位置を検出する患者位置検出部とを有するのであれば、患者側装置の構成はいかなるものでもよい。上記実施形態では、予め車両登録部１６に登録されて患者から所定範囲ＡＲ１内に位置する車両が複数あるとき、複数の車両を臨時緊急車両に認定するようにしたが、例えば患者のもとに最も早く到着することが可能な車両等、単一の車両を臨時緊急車両に認定するようにしてもよい。すなわち、少なくとも車両の位置情報と患者の位置情報とに基づき臨時緊急車両を認定するのであれば、車両認定部の構成は上述したものに限らない。
【００６２】
以上の説明はあくまで一例であり、本発明の特徴を損なわない限り、上述した実施形態および変形例により本発明が限定されるものではない。上記実施形態と変形例の１つまたは複数を任意に組み合わせることも可能であり、変形例同士を組み合わせることも可能である。
【符号の説明】
【００６３】
２  車載端末、４  携帯端末、１０  緊急搬送手配装置、１３  要求受付部、１４  患者情報取得部、１５  医療機関決定部、１６  車両登録部、１７  車両情報取得部、１８  車両認定部、１９  出力部、４２  ＧＰＳセンサ、４３  入力部、１００  緊急搬送手配システム、２３１  ＧＰＳセンサ
【図１】
2018190142.tif 000003
【図２】
2018190142.tif 000004
【図３】
2018190142.tif 000005
【図４】
2018190142.tif 000006
【図５】
2018190142.tif 000007